(57)【要約】【課題】支持瓦を利用してアンテナを屋根の上に容易に且つ正しい状態に設置でき、低価格で且つ美観上においても優れたアンテナ屋根取付金具を提供する。【解決手段】支持瓦１１は構造物を家屋の屋根に設置するための瓦で、通常の瓦と同様の形状に形成され、上部中央に支持構体２０が取付けられている。支持構体２０は、底板２１の前端及び後端に取付片２２ａ、２２ｂを垂直に設けたもので、該取付片２２ａ、２２ｂにアンテナ屋根取付金具３０Ａのアタッチメント３１ａ、３１ｂを取付ける。アタッチメント３１ａ、３１ｂは、マスト仰角調機能を備えたマスト取付部３２ａ、３２ｂと上記取付片２２ａ、２２ｂに取付ける構体取付部３３ａ、３３ｂを備える。アンテナを設置する場合、受信可能位置の既存の瓦を取り外して支持瓦１１を取付け、マスト取付部３２ａ、３２ｂのマスト仰角調機能によりマスト５１の仰角を調整した後、マスト５１にアンテナを取付ける。【選択図】図１
2011084965.tif 000002
【特許請求の範囲】
【請求項１】
構造物を家屋の屋根に設置するための支持構体を備えた支持瓦を使用してアンテナを屋根に取付けるアンテナ屋根取付金具において、
前記支持構体に取付けられる構体取付部及びアンテナマストを取付けるマスト取付部からなるアタッチメントと、
前記マスト取付部に設けられ、前記アンテナマストを前記支持構体の前端に対して略直角方向に回動可能に保持してマスト仰角を調整するマスト仰角調整手段と、
を具備することを特徴とするアンテナ屋根取付金具。
【発明の詳細な説明】
【技術分野】
【０００１】
本発明は、例えば地上放送波、通信等に使用されるアンテナを一般家屋の屋根に取付けるためのアンテナ屋根取付金具に関する。
【背景技術】
【０００２】
近年では、２００３年１２月から関東、近畿及び中京広域圏で地上デジタル（テレビジョン）放送（ＩＳＴＢ−Ｔ：Terrestrial Integrated Services Digital Broadcasting）放送が開始され、２００６年にはその他の地域でも放送が開始されている。
【０００３】
上記地上デジタル放送は、従来のアナログ放送と異なり、ゴースト／ビートの発生がなく、所謂Ｃ／Ｎ（carrier to noise ratio）を満足することで良好な画像が得られる。
【０００４】
上記地上デジタル放送はＵＨＦ帯の電波を使用しているので、各家庭で地上デジタル放送を受信するにはＵＨＦ用アンテナを設置する必要がある。アンテナを屋根の上に設置する場合、従来では屋根馬を使用し、この屋根馬にアンテナマストを立ててアンテナを取付け、更にアンテナマストに対して複数本のステーを張ることによりアンテナを強固に保持している（例えば、特許文献１参照。）。
【０００５】
上記のようにアンテナを屋根の上に設置する場合、従来では屋根馬を利用してアンテナを取付けているので、アンテナの位置が高くなり、家屋から極端に突出した状態となって美観を損ねていた。また、アンテナマストにステーを張る必要があるので、施工に時間が掛かると共に施工する人も複数必要であり、施工効率が悪いという問題があった。
【０００６】
また、従来、一般家庭において家屋の屋根に太陽光パネルや温水器等の構造物を設置することが行われている。このように家屋の屋根に太陽光パネル等の構造物を設置する場合、構造物の架台を取付けるための支持瓦を使用している（例えば、特許文献２参照。）。この支持瓦は、家屋の屋根に使用される通常の瓦と同様の形状に形成され、瓦本体の略中央部に支持構体が設けられている。上記支持瓦は、屋根に取付けられている既存の瓦を外して交換することが可能であり、支持構体に対して構造物の架台を容易に取付けることができる。このように支持瓦を使用することにより屋根の上に構造物を容易に設置することができるので、テレビ受信用のアンテナを屋根の上に設置する場合においても、上記支持瓦を使用してアンテナを取付けることが考えられる。
【先行技術文献】
【特許文献】
【０００７】
【特許文献１】実開昭６２−２０１５０５号公報
【特許文献２】特開平９−３２４４９８号公報
【発明の概要】
【発明が解決しようとする課題】
【０００８】
しかし、テレビ受信用のアンテナを屋根の上に設置する場合に支持瓦を利用しようとすると、次のような問題がある。
【０００９】
すなわち、太陽光パネルや温水器は、その形状から雨樋と平行に取付ける必要があるため、支持瓦の支持構体は雨樋と平行に架台の角柱を固定する形状となっており、上記支持構体にアンテナマストを直接固定すると、アンテナ取付け角度が大地に対する支持瓦設置角度（屋根の傾斜）に依存することになる。アンテナは一般にアンテナ正面方向に対して指向性のピークがあるため、傾いたマストにアンテナを取付けると受信性能が劣化してしまうという問題がある。
【００１０】
本発明は上記の課題を解決するためになされたもので、支持瓦を利用してアンテナを屋根の上に容易に且つ正しい状態に設置でき、ステーを張る必要が無く、美観上においても優れたアンテナ屋根取付金具を提供することを目的とする。
【課題を解決するための手段】
【００１１】
本発明に係るアンテナ屋根取付金具は、構造物を家屋の屋根に設置するための支持構体を備えた支持瓦を使用してアンテナを屋根に取付けるアンテナ屋根取付金具において、前記支持構体に取付けられる構体取付部及びアンテナマストを取付けるマスト取付部からなるアタッチメントと、前記マスト取付部に設けられ、前記アンテナマストを前記支持構体の前端に対して略直角方向に回動可能に保持してマスト仰角を調整するマスト仰角調整手段とを具備することを特徴とする。
【発明の効果】
【００１２】
本発明によれば、構造物を家屋の屋根に設置するための支持構体を備えた支持瓦を利用してアンテナを屋根の上に容易に取付けることができ、且つマストの仰角を調整してアンテナを正しい状態に設置することができる。また、屋根馬を用いずに家屋の屋根にアンテナを取付けることができると共にアンテナマストにステーを張る必要も無いので一人での作業が可能となり、且つ屋根上の突起物を少なくでき、美観上においても優れたアンテナ屋根取付金具を提供することができる。
【図面の簡単な説明】
【００１３】
【図１】本発明の実施例１に係るアンテナ屋根取付金具を支持瓦に装着する場合の構成例を示す分解斜視図である。
【図２】同実施例１に係るアンテナ屋根取付金具を水平に保持した支持瓦に装着した状態を示し、（ａ）は正面図、（ｂ）は側面図、（ｃ）は上面図である。
【図３】同実施例１における支持瓦を屋根に取付けて傾斜した状態を示し、（ａ）は正面図、（ｂ）は側面図、（ｃ）は上面図である。
【図４】同実施例１において、支持瓦に装着したマストにアンテナを取付けた状態を示し、（ａ）はアンテナを大地に対して水平に取付けた状態を示す斜視図、（ｂ）はアンテナを大地に対して垂直に取付けた状態を示す斜視図である。
【図５】本発明の実施例２に係るアンテナ屋根取付金具を支持瓦に装着する場合の構成例を示す分解斜視図である。
【図６】本発明の実施例３に係るアンテナ屋根取付金具を支持瓦に装着する場合の構成例を示す分解斜視図である。
【図７】同実施例３に係るアンテナ屋根取付金具を支持瓦に装着した状態を示す斜視図である。
【発明を実施するための形態】
【００１４】
以下、本発明の実施の形態について図面を参照して詳細に説明する。
【実施例１】
【００１５】
図１は本発明の実施例１に係るアンテナ屋根取付金具を支持瓦に装着する場合の構成例を示す分解斜視図である。図２は図１におけるアンテナ屋根取付金具を水平に保持した支持瓦に装着した状態を示したもので、（ａ）は正面図、（ｂ）は側面図、（ｃ）は上面図である。図３は支持瓦を屋根に取付けて傾斜した状態を示し、（ａ）は正面図、（ｂ）は側面図、（ｃ）は上面図である。図４は支持瓦に装着したマストにアンテナを取付けた状態を示し、（ａ）はアンテナを大地に対して水平に取付けた状態を示す斜視図、（ｂ）はアンテナを大地に対して垂直に取付けた状態を示す斜視図である。
【００１６】
図１及び図２において、１１は支持瓦で、家屋の屋根に使用される通常の瓦と同様の形状に例えば軽量金属等を用いて形成される。なお、この場合の例では、支持瓦１１を平瓦の形状に形成した場合を例として示している。図１において、矢印ａは家屋の屋根に設置される支持瓦１１の傾斜方向を示している。支持瓦１１には、瓦本体１２の前端に略９０°の角度で下方に突出した係合部１３が設けられると共に、左右に所定幅のフランジ１４ａ、１４ｂが設けられている。また、瓦本体１２の上端側には、複数例えば２つの釘穴１５が設けられている。上記支持瓦１１は、アンテナを設置する家屋に使用されている既存の屋根瓦に合わせた寸法のものを使用するが、例えば図２に示すように横幅Ｗが３３５ｍｍ、奥行きＤが３５０ｍｍに設定される。
【００１７】
そして、上記支持瓦１１の上部には、略中央部に金属部材により構成された支持構体２０が予め取付けられる。この支持構体２０は、略四角形状に形成された底板２１と、この底板２１の前端及び後端に垂直に設けられる取付片２２ａ、２２ｂにより構成される。この取付片２２ａ、２２ｂは、支持瓦１１の前端と平行に設けられるもので、内側に太陽光パネルや温水器等の構造物の架台を取付けるための溝２３を備えると共に、辺中央に取付孔２４ａ、２４ｂを備えている。また、上記底板２１の上面中央部には、取付片２２ａ、２２ｂ間に補強部材２５が設けられる。上記支持構体２０の大きさは、例えば図２に示すように取付片２２ａ、２２ｂの外側の間隔ａ１が８０ｍｍ、内側の間隔ａ２が６０ｍｍ、高さｈが５０ｍｍに設定される。
【００１８】
上記のように構成された支持構体２０にアンテナ屋根取付金具３０Ａが取付けられる。アンテナ屋根取付金具３０Ａは、一対のアタッチメント３１ａ、３１ｂからなり、このアタッチメント３１ａ、３１ｂが取付片２２ａ、２２ｂの内側にネジ２６ａ、２６ｂ及びナット２７ａ、２７ｂにより取付けられる。
【００１９】
上記アタッチメント３１ａ、３１ｂは、略方形状の金属板を略Ｌ字状に折り曲げてマスト取付部３２ａ、３２ｂ及び構体取付部３３ａ、３３ｂを構成しており、支持構体２０の内側に収まる大きさに設定される。この場合、構体取付部３３ａ、３３ｂの高さは支持構体２０の取付片２２ａ、２２ｂと略同じ高さに設定され、マスト取付部３２ａ、３２ｂの高さは構体取付部３３ａ、３３ｂより少し高く設定される。
【００２０】
マスト取付部３２ａ、３２ｂには、上辺に近接した中央位置にネジ挿通孔３４ａ、３４ｂが設けられると共にその下方に円弧状の溝３５ａ、３５ｂが設けられ、上記ネジ挿通孔３４ａ、３４ｂ及び円弧状の溝３５ａ、３５ｂを利用してアンテナマスト５１が取付けられる。このマスト５１としては、例えば図２に示すように高さＨが２２５ｍｍ、直径φが３２ｍｍのものを使用する。
【００２１】
上記マスト５１には、下端部近傍に取付孔５２ａ、５２ｂが上下方向に所定の間隔を保ち、マスト５１内を貫通して設けられる。この取付孔５２ａ、５２ｂは、マスト取付部３２ａ、３２ｂのネジ挿通孔３４ａ、３４ｂ及び円弧状の溝３５ａ、３５ｂに対応して設けられる。
【００２２】
一方、上記アタッチメント３１ａ、３１ｂの構体取付部３３ａ、３３ｂには、略中央位置に取付孔４１が設けられると共に、下辺中央に溝４２が設けられる。上記取付孔４１は、上記取付片２２ａ、２２ｂの取付孔２４ａ、２４ｂに対応して設けられ、溝４２は支持構体２０の補強部材２５に対応して設けられる。
【００２３】
上記アタッチメント３１ａ、３１ｂを支持構体２０に取付ける場合、構体取付部３３ａ、３３ｂを取付片２２ａ、２２ｂの内側に位置させ、取付片２２ａ、２２ｂの取付孔２４ａ、２４ｂから構体取付部３３ａ、３３ｂの取付孔４１にネジ２６ａ、２６ｂを挿入して、該取付孔４１から突出したネジ先端にナット２７ａ、２７ｂを螺着し、締め付けて固定する。
【００２４】
上記のように支持構体２０にアタッチメント３１ａ、３１ｂを取付けた後、マスト取付部３２ａ、３２ｂにマスト５１を取付ける。すなわち、支持構体２０の取付片２２ａ、２２ｂに固定したマスト取付部３２ａ、３２ｂの間にマスト５１の下端部を位置させ、マスト取付部３２ａのネジ挿通孔３４ａ及び円弧状の溝３５ａからマスト５１の取付孔５２ａ、５２ｂにネジ３６ａ、３６ｂを挿入し、マスト取付部３２ｂのネジ挿通孔３４ｂ及び円弧状の溝３５ｂから突出させたネジ先端にナット３７ａ、３７ｂを螺着してマスト５１を固定する。この場合、ネジ３６ａ、３６ｂとナット３７ａ、３７ｂとの間の締付けを緩めることにより、マスト５１はネジ３６ａを中心軸として回動可能となり、ネジ３６ｂが円弧状の溝３５ａ、３５ｂ内を移動する範囲例えば約４５°の範囲で仰角を調整することができる。マスト取付部３２ａ、３２ｂは、上記のようにマスト仰角調整機能を備えた構成となっている。
【００２５】
上記支持瓦１１を使用して家屋の屋根にアンテナを設置する場合、先ず、事前に受信レベルを調査し、屋根における受信可能な位置を決め、その受信可能位置における例えば平瓦等の既存の瓦、この場合の例では平瓦を１枚取り外し、その位置の野地板に上記のように予め支持構体２０にアタッチメント３１ａ、３１ｂ及びマスト５１を装着した支持瓦１１を取付ける。この場合、支持瓦１１は、左側のフランジ１４ａを隣接する既存の平瓦のフランジ上に重ねると共に、右側のフランジ１４ｂを隣接する既存の平瓦のフランジの下側に挿入し、また、係合部１３が設けられている前端側を下方（雨樋方向）の平瓦の上端に所定長さ重ねる。そして、瓦本体１２の上端側に設けた釘穴１５より下側の野地板に釘を打ち付け、支持瓦１１を野地板に固定する。また、瓦本体１２の上端部には、上方に位置する既存の瓦の下端部を重ねる。
【００２６】
家屋の屋根に取付けた支持瓦１１は、図３に示すように所定の角度で傾斜した状態に保持されている。この状態で、図１に示すマスト取付部３２ａ、３２ｂにマスト５１を固定しているネジ３６ａ、３６ｂとナット３７ａ、３７ｂとの間の締付けを緩め、マスト５１を大地に対して垂直となるように調整する。その後、ネジ３６ａ、３６ｂとナット３７ａ、３７ｂとの間を締め付け、マスト５１をマスト取付部３２ａ、３２ｂに固定する。
【００２７】
次に、図４（ａ）に示すようにマスト５１の上端部に例えば地上デジタル放送受信用のアンテナ１００を取付金具１０１により取付け、アンテナ１００の方向を局の方向に調整する。なお、図４（ａ）は、アンテナ１００を大地に対して水平に取付け、水平偏波の電波を受信する場合の例を示している。
【００２８】
また、垂直偏波の電波を受信する場合には、図４（ｂ）に示すようにアンテナ１００を大地に対して垂直となるようにマスト５１に取付ける。  
以上で家屋の屋根の上にアンテナ１００を設置する工事を終了する
上記実施例１で示したようにアンテナ屋根取付金具３０Ａを使用することにより、支持瓦１１に設けられている支持構体２０にアンテナ１００を容易に取付けることができ、且つマスト仰角を任意に調整することができる。従って、支持瓦１１を利用してアンテナ１００を家屋の屋根の上に容易に且つ正しい状態に設置、例えば水平偏波を受信する場合にはアンテナ１００を大地に対して水平に、また、垂直偏波を受信する場合にはアンテナ１００を大地に対して垂直に設置することができる。また、マスト５１はアンテナ屋根取付金具３０Ａを介して支持瓦１１の支持構体２０に確実に取付けることができるので、ステーを張る必要が無く、美観上においても優れたアンテナ屋根取付金具を提供することができる。
【実施例２】
【００２９】
次に本発明の実施例２に係るアンテナ屋根取付金具について説明する。
【００３０】
図５は本発明の実施例２に係るアンテナ屋根取付金具３０Ｂを支持瓦１１に装着する場合の構成例を示す分解斜視図である。
【００３１】
この実施例２に係るアンテナ屋根取付金具３０Ｂは、図５に示すようにアタッチメント３１ａ、３１ｂを構成するマスト取付部３２ａ、３２ｂの両側に構体取付部３３ａ-１、３３ａ-２、３３ｂ-１、３３ｂ-２を設けたものである。その他の構成は上記実施例１と同様の構成であるので、同一部分には同一符号を付して詳細な説明は省略する。
【００３２】
上記構体取付部３３ａ-１、３３ａ-２、３３ｂ-１、３３ｂ-２には、実施例１と同様にそれぞれ略中央位置に取付孔４１が設けられると共に、下辺中央に溝４２が設けられる。
【００３３】
上記アタッチメント３１ａ、３１ｂを支持構体２０に取付ける場合、アタッチメント３１ａの構体取付部３３ａ-１とアタッチメント３１ｂの構体取付部３３ｂ-１を重ねると共に、アタッチメント３１ａの構体取付部３３ａ-２とアタッチメント３１ｂの構体取付部３３ｂ-２を重ねて支持構体２０の内側、すなわち取付片２２ａ、２２ｂの内側に位置させ、取付片２２ａ、２２ｂの取付孔２４ａ、２４ｂから構体取付部３３ａ-１、３３ｂ-１の取付孔４１及び構体取付部３３ａ-２、３３ｂ-２の取付孔４１にネジ２６ａ、２６ｂを挿入し、該取付孔４１から突出したネジ先端にナット２７ａ、２７ｂ（図２参照）を螺着し、締め付けて固定する。
【００３４】
そして、上記支持瓦１１の支持構体２０に装着したアタッチメント３１ａ、３１ｂのマスト取付部３２ａ、３２ｂにマスト５１をネジ３６ａ、３６ｂ及びナット３７ａ、３７ｂにより取付ける。
【００３５】
上記実施例２に示したようにアタッチメント３１ａを構成するマスト取付部３２ａの両側に構体取付部３３ａ-１、３３ａ-２を設けると共に、マスト取付部３２ｂの両側に構体取付部３３ｂ-１、３３ｂ-２を設けることにより、アタッチメント３１ａ、３１ｂを、より強固に支持瓦１１の支持構体２０に取付けることができる。
【００３６】
また、上記実施例２によれば、実施例１と同様に支持瓦１１を利用してアンテナを家屋の屋根の上に容易に且つ正しい状態に設置でき、ステーを張る必要が無く、美観上においても優れたものとすることができる。
【実施例３】
【００３７】
次に本発明の実施例３に係るアンテナ屋根取付金具について説明する。
【００３８】
図６は本発明の実施例３に係るアンテナ屋根取付金具３０Ｃを支持瓦１１に装着する場合の構成例を示す分解斜視図である。
【００３９】
この実施例３に係るアンテナ屋根取付金具３０Ｃは、図６に示すように角筒状に形成したアタッチメント６１を使用している。このアタッチメント６１は、支持瓦１１に設けられた支持構体２０の外側に沿って配設できる大きさに設定される。
【００４０】
上記角筒状のアタッチメント６１は、支持構体２０の取付片２２ａ、２２ｂに対向する面を構体取付部６２ａ、６２ｂとし、この構体取付部６２ａ、６２ｂに隣接する面をマスト取付部６３ａ、６３ｂとしている。上記構体取付部６２ａ、６２ｂには、上記取付片２２ａ、２２ｂの取付孔２４ａ、２４ｂに対応する位置にそれぞれ取付孔６４が設けられる。
【００４１】
また、マスト取付部６３ａ、６３ｂには、各面にそれぞれ２つのネジ挿通孔６５ａ、６５ｂが所定の間隔で斜め方向に設けられる。例えばマスト取付部６３ａ、６３ｂの各面の中央位置に一方のネジ挿通孔６５ａが設けられ、このネジ挿通孔６５ａから構体取付部６２ａ方向の上方４５°の位置に他方のネジ挿通孔６５ｂが設けられる。
【００４２】
上記マスト取付部６３ａ、６３ｂには、マスト仰角調整金具７１を介してマスト５１が取付けられる。マスト仰角調整金具７１は、長方形状の金属板の両側を下方に９０°の角度で折曲げたもので、その折曲げ部７２ａ、７２ｂがマスト取付部６３ａ、６３ｂの両側に位置するように設定される。上記マスト仰角調整金具７１は、マスト５１の下端部に取付けられる。
【００４３】
上記マスト仰角調整金具７１は、奥行き方向の幅がマスト取付部６３ａ、６３ｂの横幅よりも所定長さ短く形成されると共に、両側に所定長さの切欠き７３ａ、７３ｂが設けられ、この切欠き７３ａ、７３ｂ間の幅がアタッチメント６１の構体取付部６２ａ、６２ｂの内側の幅より短く形成される。
【００４４】
また、折曲げ部７２ａ、７２ｂは、切欠き７３ａ、７３ｂが設けられた側の先端部が半円状に形成され、その半径の中心にネジ挿通孔７４が設けられると共に、このネジ挿通孔７４から所定の間隔で円弧状の溝７５が設けられる。上記ネジ挿通孔７４及び円弧状の溝７５は、マスト取付部６３ａ、６３ｂのネジ挿通孔６５ａ、６５ｂに対応して設けられる。
【００４５】
上記マスト仰角調整金具７１は、図６及び図７に示すように折曲げ部７２ａ、７２ｂをアタッチメント６１のマスト取付部６３ａ、６３ｂの両外側に位置させ、ネジ挿通孔７４及び円弧状の溝７５からマスト取付部６３ａ、６３ｂのネジ挿通孔６５ａ、６５ｂにネジ７６ａ、７６ｂを挿入し、反対側に突出したネジ先端にナット７７ａ、７７ｂを螺着し、締め付けて固定する。この場合、ネジ７６ａ、７６ｂとナット７７ａ、７７ｂとの間の締付けを緩めることにより、マスト仰角調整金具７１はネジ７６ａを中心軸として回動可能となり、ネジ７６ｂが円弧状の溝７５内を移動する範囲例えば約４５°の範囲でマスト５１の仰角を調整することができる。また、マスト仰角調整金具７１は、両側に切欠き７３ａ、７３ｂを設けることにより、マスト５１を回転操作した際にマスト仰角調整金具７１の側部、すなわち切欠き７３ａ、７３ｂ間の側部がアタッチメント６１内に挿入されて回動できるようになっている。
【００４６】
上記のようにマスト仰角調整金具７１を取付けたアタッチメント６１を支持構体２０の外側に位置させ、構体取付部６２ａ、６２ｂの取付孔６４から取付片２２ａ、２２ｂの取付孔２４ａ、２４ｂ内にネジ２６ａ、２６ｂを挿入し、その先端にナット２７ａ、２７ｂを螺着し、アタッチメント６１を支持瓦１１の支持構体２０に装着する。
【００４７】
なお、支持瓦１１の支持構体２０に対してアタッチメント６１を先に取付け、その後、アタッチメント６１に対してマスト仰角調整金具７１を取付けてもよい。
【００４８】
上記実施例３によれば、支持瓦１１の支持構体２０に対し、アタッチメント６１をマスト仰角調整金具７１及びアタッチメント６１を介して強固に取付けることができる。また、マスト５１の下端部に予めマスト仰角調整金具７１を設けているので、マスト５１をマスト仰角調整金具７１によりアタッチメント６１に確実に取付けることができ、且つマスト５１の仰角調整を容易に行うことができる。
【００４９】
また、上記実施例３によれば、実施例１と同様に支持瓦１１を利用してアンテナを家屋の屋根の上に容易に且つ正しい状態に設置でき、ステーを張る必要が無く、美観上においても優れたものとすることができる。
【００５０】
なお、上記各実施例では、支持瓦１１として平瓦の形状に形成した場合を例として示したが、例えば和瓦等、他の種類の瓦の形状に形成した場合であっても同様にして実施し得るものである。
【００５１】
また、本発明は、上記実施の形態そのままに限定されるものではなく、実施段階ではその要旨を逸脱しない範囲で構成要素を変形して具体化できるものである。
【符号の説明】
【００５２】
１１…支持瓦、１２…瓦本体、１３…係合部、１４ａ、１４ｂ…フランジ、１５…釘穴、２０…支持構体、２１…底板、２２ａ、２２ｂ…取付片、２３…溝、２４ａ、２４ｂ…取付孔、２５…支持構体の補強部材、２６ａ、２６ｂ…ネジ、２７ａ、２７ｂ…ナット、３０Ａ、３０Ｂ、３０Ｃ…アンテナ屋根取付金具、３１ａ、３１ｂ…アタッチメント、３２ａ、３２ｂ…マスト取付部、３３ａ、３３ａ-１、３３ａ-２、３３ｂ、３３ｂ-１、３３ｂ-２…構体取付部、３４ａ、３４ｂ…ネジ挿通孔、３５ａ、３５ｂ…円弧状の溝、３６ａ、３６ｂ…ネジ、３７ａ、３７ｂ…ナット、４１…取付孔、４２…溝、５１…マスト、５２ａ、５２ｂ…取付孔、６１…アタッチメント、６２ａ、６２ｂ…構体取付部、６３ａ、６３ｂ…マスト取付部、６４…取付孔、６５ａ、６５ｂ…ネジ挿通孔、７１…マスト仰角調整金具、７４…ネジ挿通孔、７５…円弧状の溝、７６ａ、７６ｂ…ネジ、７７ａ、７７ｂ…ナット、１００…アンテナ、１０１…取付金具。
【図１】
2011084965.tif 000003
【図２】
2011084965.tif 000004
【図３】
2011084965.tif 000005
【図４】
2011084965.tif 000006
【図５】
2011084965.tif 000007
【図６】
2011084965.tif 000008
【図７】
2011084965.tif 000009